(57)【要約】【課題】負荷電流の増減により位置検出手段の振幅値を増減させることを目的とする。【解決手段】ブラシレスＤＣモータの三相コイル１に駆動電圧を与えて駆動電流を供給する複数のスイッチング素子と複数の整流素子とで構成されるインバータ回路９と、ブラシレスＤＣモータの磁石で形成された回転子の位置と速度を検出するそれぞれ電気角で１２０°の間隔で配置された三相分の３つの位置検出手段１０と、前記３つの位置検出手段１０の出力信号に基づいて前記インバータ回路９を駆動する出力信号を生成する駆動信号生成手段１２と、前記インバータ回路９に流れる三相分の負荷電流を電圧に変換して検出する負荷電流検出抵抗１３と、前記負荷電流検出抵抗１３の両端電圧の値によって出力を切り換える位置検出電流調整手段１１を前記３つの位置検出手段１０の入力の一端と電源１５またはアース１６のどちらか一方に直列に設けたものである。【選択図】図２
2015142468.tif 000002
【特許請求の範囲】
【請求項１】
ブラシレスＤＣモータの三相コイルに駆動電圧を与えて駆動電流を供給する複数のスイッチング素子と複数の整流素子とで構成されるインバータ回路と、ブラシレスＤＣモータの磁石で形成された回転子の位置と速度を検出するそれぞれ電気角で１２０°の間隔で配置された三相分の３つの位置検出手段と、前記３つの位置検出手段の出力信号に基づいて前記インバータ回路を駆動する出力信号を生成する駆動信号生成手段と、前記インバータ回路に流れる三相分の負荷電流を電圧に変換して検出する負荷電流検出抵抗と、前記負荷電流検出抵抗の両端電圧の値によって出力を切り換える位置検出電流調整手段を前記３つの位置検出手段の入力の一端と電源またはアースのどちらか一方に直列に設けたことを特徴とするブラシレスＤＣモータ。
【請求項２】
位置検出電流調整手段は、並列に接続された第一および第二の電流制限抵抗と前記第二の電流制限抵抗に直列に設けた半導体スイッチとこれを制御するスイッチ制御手段から構成され、前記スイッチ制御手段は、前記半導体スイッチの状態を調整するスイッチ調整手段と、負荷電流検出抵抗の両端電圧とあらかじめ設定していた電圧参照値の比較により前記スイッチ調整手段の動作を決定するスイッチ決定手段を備え、前記スイッチ決定手段は、前記負荷電流検出抵抗の両端電圧が前記電圧参照値よりも低い場合、前記半導体スイッチを開放状態とし、前記負荷電流検出抵抗の両端電圧が前記電圧参照値よりも高い場合、前記半導体スイッチを短絡状態とすることを特徴とする請求項１に記載のブラシレスＤＣモータ。
【請求項３】
位置検出電流調整手段は、第一の電流制限抵抗と直列または並列に接続された可変抵抗と負荷電流検出抵抗の両端電圧により前記可変抵抗の抵抗値を調整する抵抗調整手段から構成され、前記抵抗調整手段は、前記負荷電流検出抵抗の両端電圧が低い場合、位置検出手段に流れる電流が減少する方向に前記可変抵抗の抵抗値を変更し、前記負荷電流検出抵抗の両端電圧が高い場合、前記位置検出手段に流れる電流が増加する方向に前記可変抵抗の抵抗値を変更することを特徴とする請求項１に記載のブラシレスＤＣモータ。
【発明の詳細な説明】
【技術分野】
【０００１】
本発明は、ブラシレスＤＣモータの位置情報検出装置に関するものである。
【背景技術】
【０００２】
従来、この種のブラシレスＤＣモータは、長寿命、高信頼性および制御性の良さ等からレンジフード、天井埋め込み換気扇や浴室暖房換気扇等の換気装置、空気清浄機等の送風装置に搭載されることが多い。モータの駆動方式、形態としては、ｄｕｔｙを変化させることでＰＷＭ駆動するモータ駆動回路をモータの本体に内蔵した駆動回路内蔵型のブラシレスＤＣモータが主流である。しかし、ブラシレスＤＣモータの磁石で形成された回転子の位置情報の検出は、ホール素子等の位置検出手段により回転子の磁気を検出することで、回転子の位置情報を得る構成が一般的である。そのブラシレスＤＣモータの回転子の位置情報の検出する一般的な構成について、図５および図６を参照しながら説明する。
【０００３】
図５は、ブラシレスＤＣモータ（以下、モータという）の回転子の位置情報を位置検出手段１０１により検出する。そして、この位置検出手段１０１を過大な電圧や電流より保護するために位置検出手段１０１の入力の両端と電源１０２およびアース１０３との間に電流制限抵抗１０４Ａ、１０４Ｂを直列に挿入している。三相モータの場合、図６に示すように、位置検出手段１０１は並列に接続された三相分の３つの位置検出手段１０１Ａ、１０１Ｂおよび１０１Ｃにより構成されている。
【先行技術文献】
【特許文献】
【０００４】
【特許文献１】特開平３−２８５５９３号公報
【発明の概要】
【発明が解決しようとする課題】
【０００５】
このような従来の三相のブラシレスＤＣモータにおいて、一般的には、負荷電流が少ないときと比べ、負荷電流が多くなると、一時的に電気的な遅れ位相となる電機子反作用が発生し、その影響により、モータ効率が悪化してしまう。
【０００６】
本発明は、このような従来の課題を解決するものであり、負荷電流が多くなると自動的に三相分の位置検出手段に流れる入力電流を多くすることで位置検出手段の出力電圧の振幅値を大きくし、ブラシレスＤＣモータの通電切り替えタイミングを意図的に進めることができるため、一時的に電気的な遅れ位相となる電機子反作用の影響を軽減することができるブラシレスＤＣモータを提供することを目的としている。
【課題を解決するための手段】
【０００７】
そして、この目的を達成するために、本発明は、ブラシレスＤＣモータの三相コイルに駆動電圧を与えて駆動電流を供給する複数のスイッチング素子と複数の整流素子とで構成されるインバータ回路と、ブラシレスＤＣモータの磁石で形成された回転子の位置と速度を検出するそれぞれ電気角で１２０°の間隔で配置された三相分の３つの位置検出手段と、前記３つの位置検出手段の出力信号に基づいて前記インバータ回路を駆動する出力信号を生成する駆動信号生成手段と、前記インバータ回路に流れる三相分の負荷電流を電圧に変換して検出する負荷電流検出抵抗と、前記負荷電流検出抵抗の両端電圧の値によって出力を切り換える位置検出電流調整手段を前記３つの位置検出手段の入力の一端と電源またはアースのどちらか一方に直列に設けたものであり、これにより所期の目的を達成するものである。
【発明の効果】
【０００８】
本発明によれば、ブラシレスＤＣモータの三相コイルに駆動電圧を与えて駆動電流を供給する複数のスイッチング素子と複数の整流素子とで構成されるインバータ回路と、ブラシレスＤＣモータの磁石で形成された回転子の位置と速度を検出するそれぞれ電気角で１２０°の間隔で配置された三相分の３つの位置検出手段と、前記３つの位置検出手段の出力信号に基づいて前記インバータ回路を駆動する出力信号を生成する駆動信号生成手段と、前記インバータ回路に流れる三相分の負荷電流を電圧に変換して検出する負荷電流検出抵抗と、前記負荷電流検出抵抗の両端電圧の値によって出力を切り換える位置検出電流調整手段を前記３つの位置検出手段の入力の一端と電源またはアースのどちらか一方に直列に設けたため、負荷電流が多くなると自動的に３つの位置検出手段に流れる入力電流を多くすることで前記３つの位置検出手段の出力電圧の振幅値を大きくし、ブラシレスＤＣモータの通電切り替えタイミングを意図的に進めることができるため、一時的に電気的な遅れ位相となる電機子反作用の影響を軽減することができるという効果を奏する。
【図面の簡単な説明】
【０００９】
【図１】本発明の実施の形態１のブラシレスＤＣモータの断面図
【図２】同モータの構成を示すブロック図
【図３】同モータの位置情報検出装置の制御動作を示すブロック図
【図４】本発明の実施の形態２のブラシレスＤＣモータの位置情報検出装置の制御動作を示すブロック図
【図５】従来のブラシレスＤＣモータの位置情報検出装置を示す回路図
【図６】同位置情報検出装置を三相化した回路図
【発明を実施するための形態】
【００１０】
本発明の請求項１記載のブラシレスＤＣモータは、ブラシレスＤＣモータの三相コイルに駆動電圧を与えて駆動電流を供給する複数のスイッチング素子と複数の整流素子とで構成されるインバータ回路と、ブラシレスＤＣモータの磁石で形成された回転子の位置と速度を検出するそれぞれ電気角で１２０°の間隔で配置された三相分の３つの位置検出手段と、前記３つの位置検出手段の出力信号に基づいて前記インバータ回路を駆動する出力信号を生成する駆動信号生成手段と、前記インバータ回路に流れる三相分の負荷電流を電圧に変換して検出する負荷電流検出抵抗と、前記負荷電流検出抵抗の両端電圧の値によって出力を切り換える位置検出電流調整手段を前記３つの位置検出手段の入力の一端と電源またはアースのどちらか一方に直列に設けたものである。
【００１１】
これにより、負荷電流の増減により、位置検出手段に直列に設けた位置検出電流調整手段の出力が切り換えられ、位置検出手段に流れる電流が調整されることとなり、位置検出手段の出力電圧の振幅値を負荷電流の増減に合わせた値に意図的に調整することができるという効果を奏する。
【００１２】
本発明の請求項２記載のブラシレスＤＣモータは、位置検出電流調整手段は、並列に接続された第一および第二の電流制限抵抗と第二の電流制限抵抗に直列に設けた半導体スイッチとこれを制御するスイッチ制御手段から構成され、スイッチ制御手段は、半導体スイッチの状態を調整するスイッチ調整手段と、負荷電流検出抵抗の両端電圧とあらかじめ設定していた電圧参照値の比較によりスイッチ調整手段の動作を決定するスイッチ決定手段を備え、スイッチ決定手段は、負荷電流検出抵抗の両端電圧が電圧参照値よりも低い場合半導体スイッチを開放状態とし、負荷電流検出抵抗の両端電圧が電圧参照値よりも高い場合、半導体スイッチを短絡状態とするものである。
【００１３】
これにより、負荷電流が少ないため電機子反作用の影響がほとんど無い場合、つまり、スイッチ決定手段が負荷電流検出抵抗の両端電圧が電圧参照値よりも低いと判定した場合には、スイッチ調整手段により半導体スイッチは開放状態となり、位置検出手段に流れる入力電流は第一の電流制限抵抗によって制限されることとなる。また、負荷電流が多いため電機子反作用の影響により一時的に電気的な遅れ位相となりやすい場合、つまり、スイッチ決定手段が負荷電流検出抵抗の両端電圧が電圧参照値よりも高いと判定した場合には、スイッチ調整手段により半導体スイッチは短絡状態となり、位置検出手段に流れる入力電流は第一の電流制限抵抗と第二の電流制限抵抗の並列接続の合成抵抗によって制限されることとなり、スイッチ決定手段が負荷電流検出抵抗の両端電圧が電圧参照値よりも低いと判定した場合と比較して、制限される抵抗値が小さいため、位置検出手段に流れる入力電流は多くなり、結果として、位置検出手段の出力電圧の振幅値を大きくすることができる。このようにして、負荷電流の増減により、半導体スイッチの状態が調整されて位置検出手段に直列に設けた位置検出電流調整手段の抵抗値が調整され、位置検出手段に流れる電流が調整されることとなり、位置検出手段の出力電圧の振幅値を負荷電流の増減に合わせた値に意図的に調整することができるという効果を奏する。
【００１４】
本発明の請求項３記載のブラシレスＤＣモータは、位置検出電流調整手段は、第一の電流制限抵抗と直列または並列に接続された可変抵抗と負荷電流検出抵抗の両端電圧により可変抵抗の抵抗値を調整する抵抗調整手段から構成され、抵抗調整手段は、負荷電流検出抵抗の両端電圧が低い場合、位置検出手段に流れる電流が減少する方向に可変抵抗の抵抗値を変更し、負荷電流検出抵抗の両端電圧が高い場合、位置検出手段に流れる電流が増加する方向に可変抵抗の抵抗値を変更するものである。
【００１５】
これにより、負荷電流が少ないため電機子反作用の影響がほとんど無い場合、つまり、負荷電流検出抵抗の両端電圧が低い場合には、抵抗調整手段は、その負荷電流検出抵抗の両端電圧の大きさにより、流れる電流が減少する方向に可変抵抗の抵抗値を大きくする。また、負荷電流が多いため電機子反作用の影響により一時的に電気的な遅れ位相となりやすい場合、つまり、負荷電流検出抵抗の両端電圧が高い場合には、抵抗調整手段は、その負荷電流検出抵抗の両端電圧の大きさにより、流れる電流が増加する方向に可変抵抗の抵抗値を小さくする。このようにして、負荷電流の増減により、可変抵抗の抵抗値が調整されて位置検出手段に直列に設けた位置検出電流調整手段の抵抗値が調整され、位置検出手段に流れる電流が調整されることとなり、位置検出手段の出力電圧の振幅値を負荷電流の増減に合わせた値に意図的に調整することができるという効果を奏する。
【００１６】
以下、本発明の実施の形態について図面を参照しながら説明する。
【００１７】
（実施の形態１）
図１は、本発明のブラシレスＤＣモータの断面図で、三相コイル１は、巻線２が巻装され、回転子３は、永久磁石４とシャフト５を一体化して形成されている。６はベアリング、７は金属製のブラケットである。プリント基板８には、インバータ回路９、位置検出手段１０、位置検出電流調整手段１１、駆動信号生成手段１２および負荷電流検出抵抗１３が実装されている。プリント基板８は、コネクタ１４で外部回路と接続される。
【００１８】
図２は、本実施の形態のブラシレスＤＣモータの構成を示すブロック図である。本実施の形態のブラシレスＤＣモータは、インバータ回路９と、位置検出手段１０と、駆動信号生成手段１２と、負荷電流検出抵抗１３と、位置検出電流調整手段１１を備えている。インバータ回路９は、三相コイル１に駆動電圧を与えて駆動電流を供給する複数のスイッチング素子と複数の整流素子とで構成される。位置検出手段１０は、電気角で１２０°の間隔で３個配置されて、ブラシレスＤＣモータの磁石で形成された回転子３の位置と速度を検出する。駆動信号生成手段１２は、３つの位置検出手段１０の出力信号に基づいてインバータ回路９を駆動する出力信号を生成する。負荷電流検出抵抗１３は、インバータ回路９に流れる三相分の負荷電流を電圧に変換して検出する。位置検出電流調整手段１１は、３つの位置検出手段１０の入力の一端と位置検出手段１０に電圧を供給する電源１５に直列に設けられている。
【００１９】
また、図２に示すように位置検出手段１０は、一例として、ホール素子等の磁極検知素子を用いて、三相コイル１と回転子３の磁極の切り換わりを検出し、回転速度に応じた速度情報と回転子３の位置情報を駆動信号生成手段１２に出力するものである。
【００２０】
また、位置検出手段１０は、互いに位相が１８０°反転した２つの正弦波状の電圧値を出力するものである。
【００２１】
また、図２に示すように位置検出手段１０の位置検出電流調整手段１１と接続していない入力の一端はアース１６と直接接続されるものである。
【００２２】
また、三相コイル１には、スイッチング素子、例えば、ＩＧＢＴやＭＯＳＦＥＴ等をブリッジ接続したインバータ回路９が接続されており２００〔Ｖ〕程度の高圧直流電圧を印加するものである。
【００２３】
また、駆動信号生成手段１２は、位置検出手段１０の位置情報からインバータ回路９を駆動する出力信号を生成するものである。この出力信号は、インバータ回路９を介して三相コイル１に電流を流すＰＷＭ信号でＰＷＭの幅は外部からの速度指示信号によって与えられるものである。
【００２４】
また、図３に示すように位置検出電流調整手段１１は、並列に接続された第一の電流制限抵抗１７および第二の電流制限抵抗１８と、第二の電流制限抵抗１８に直列に設けた半導体スイッチ１９と、半導体スイッチ１９を制御するスイッチ制御手段２０とで構成している。
【００２５】
また、半導体スイッチ１９は、一例として、ＮＰＮトランジスタやＰＮＰトランジスタ等の半導体部品を用いて構成され、スイッチ制御手段２０により位置検出手段１０の入力両端に流れる電流値を変えることが可能である。
【００２６】
また、スイッチ制御手段２０は、スイッチ調整手段２１と、電圧参照値２２と、スイッチ決定手段２３を備えている。
【００２７】
ここで、電圧参照値２２とは、ある閾値電圧のことであり、負荷電流検出抵抗１３の両端電圧の最大値よりも小さい任意の正の電圧値に設定できるものである。
【００２８】
また、図３に示すようにスイッチ調整手段２１は、半導体スイッチ１９の短絡状態および開放状態を切り換えるものである。
【００２９】
また、スイッチ決定手段２３は、負荷電流検出抵抗１３の両端電圧とあらかじめ設定していた電圧参照値２２の比較により、スイッチ調整手段２１の状態を決定するものである。
【００３０】
すなわち、スイッチ決定手段２３は、負荷電流検出抵抗１３の両端電圧が電圧参照値２２よりも低いと判定した場合には、スイッチ調整手段２１により半導体スイッチ１９は開放状態となるため、位置検出手段１０に流れる入力電流は第一の電流制限抵抗１７によって制限されることとなる。
【００３１】
また、スイッチ決定手段２３は、負荷電流検出抵抗１３の両端電圧が電圧参照値２２よりも高いと判定した場合には、スイッチ調整手段２１により半導体スイッチ１９は短絡状態となるため、位置検出手段１０に流れる入力電流は第一の電流制限抵抗１７と第二の電流制限抵抗１８の並列接続の合成抵抗によって制限されることとなる。
【００３２】
すなわち、スイッチ決定手段２３が負荷電流検出抵抗１３の両端電圧が電圧参照値２２よりも低いと判定した場合と比較して、制限される抵抗値が小さいため、位置検出手段１０の出力電圧の振幅値を大きくするものである。
【００３３】
ここで、負荷電流検出抵抗１３の両端電圧の最大値に対して、電圧参照値２２を大きな値を選択すると、半導体スイッチ１９はなかなか短絡状態とならず、負荷電流がかなり多く流れなければ位置検出手段１０の出力電圧の振幅値は大きくならないため、電機子反作用の影響を軽減できる効果がかなり制限され、モータ効率が悪化してしまう。
【００３４】
一方、負荷電流検出抵抗１３の両端電圧の最大値に対して、電圧参照値２２を小さな値を選択すると、半導体スイッチ１９はすぐに短絡状態となり、負荷電流がほとんど流れなくても位置検出手段１０の出力電圧の振幅値は大きくなってしまい、軽負荷では理想に対して位相進みとなるため、モータ効率が悪化してしまう。
【００３５】
すなわち、電圧参照値２２は、負荷電流に合わせて適切に設定するものである。
【００３６】
なお、位置検出手段１０の入力の一端とアース１６との接続方法は、図２および図３に示すように直接接続する必要は必ずしもなく、位置検出手段１０を過大な電圧や電流より保護するために直列に設けた第一の電流制限抵抗１７および第二の電流制限抵抗１８とは別の電流制限抵抗を介して接続する構成であってもよい。
【００３７】
また、位置検出手段１０の入力の一端と位置検出電流調整手段１１との接続方法は、図２および図３に示すように電源１５と必ずしも直列に接続する必要はない。すなわち、位置検出手段１０の入力の一端とアース１６に直列に位置検出電流調整手段１１を接続し、電源１５は位置検出手段１０のもう一方の入力の一端と直接または位置検出手段１０を過大な電圧や電流より保護するために直列に設けた第一の電流制限抵抗１７および第二の電流制限抵抗１８とは別の電流制限抵抗を介して接続する構成であってもよい。
【００３８】
上記構成において、ブラシレスＤＣモータの位置情報検出装置の制御動作を図３のブロック図を用いて説明する。
【００３９】
まず、インバータ回路９に三相分の負荷電流が流れると、負荷電流検出抵抗１３により電圧に変換して検出される。
【００４０】
そして、スイッチ決定手段２３は、負荷電流検出抵抗１３の両端電圧とあらかじめ設定していた電圧参照値２２との大小関係を比較する。
【００４１】
さて、負荷電流が少ないため電機子反作用の影響がほとんど無い場合、つまり、スイッチ決定手段２３が負荷電流検出抵抗１３の両端電圧が電圧参照値２２よりも低いと判定した場合には、スイッチ調整手段２１により半導体スイッチ１９は開放状態となり、位置検出手段１０に流れる入力電流は第一の電流制限抵抗１７によって制限されることとなる。
【００４２】
また、負荷電流が多いため電機子反作用の影響により一時的に電気的な遅れ位相となりやすい場合、つまり、スイッチ決定手段２３が負荷電流検出抵抗１３の両端電圧が電圧参照値２２よりも高いと判定した場合には、スイッチ調整手段２１により半導体スイッチ１９は短絡状態となる。そして、位置検出手段１０に流れる入力電流は第一の電流制限抵抗１７と第二の電流制限抵抗１８の並列接続の合成抵抗によって制限されることとなる。従って、スイッチ決定手段２３が負荷電流検出抵抗１３の両端電圧が電圧参照値２２よりも低いと判定した場合と比較して、制限される抵抗値が小さいため、位置検出手段１０に流れる入力電流は多くなる。結果として、位置検出手段１０の出力電圧の振幅値は大きくなる。
【００４３】
このようにして、負荷電流の増減により、半導体スイッチ１９の状態が調整されて位置検出手段１０に直列に設けた位置検出電流調整手段１１の出力である第一の電流制限抵抗１７および第二の電流制限抵抗１８で決定される抵抗値が調整され、位置検出手段１０に流れる電流が調整されることとなり、位置検出手段１０の出力電圧の振幅値を負荷電流の増減に合わせた値に意図的に調整することができる。
【００４４】
（実施の形態２）
本発明の実施の形態２について図４を参照しながら説明する。実施の形態１と同一部分は同一番号を附し詳細な説明を簡略化する。
【００４５】
本実施の形態では、実施の形態１の位置検出電流調整手段１１の別の形態を説明する。
【００４６】
位置検出電流調整手段１１は、並列に接続された第一の電流制限抵抗１７および可変抵抗２４と、可変抵抗２４の抵抗値を調整する抵抗調整手段２５とで構成している。
【００４７】
抵抗調整手段２５は、負荷電流検出抵抗１３の両端電圧により可変抵抗２４の抵抗値を調整するものであり、負荷電流検出抵抗１３の両端電圧が低い場合、位置検出手段１０に流れる電流が減少する方向に可変抵抗２４の抵抗値を大きくし、負荷電流検出抵抗１３の両端電圧が高い場合、位置検出手段１０に流れる電流が増加する方向に可変抵抗２４の抵抗値を小さくする。つまり、実施の形態１では、スイッチ決定手段２３により負荷電流検出抵抗１３の両端電圧と電圧参照値２２を比較した結果で、動作を切り換えるスイッチ調整手段２１により半導体スイッチ１９の開放状態と短絡状態を離散的に切り換えていたが、本実施の形態では、負荷電流検出抵抗１３の両端電圧から抵抗調整手段２５により可変抵抗２４の抵抗値を連続的に調整するところに特徴がある。
【００４８】
上記構成において、ブラシレスＤＣモータの位置情報検出装置の制御動作を図４のブロック図を用いて説明する。
【００４９】
まず、インバータ回路９に三相分の負荷電流が流れると、負荷電流検出抵抗１３により電圧に変換して検出される。
【００５０】
そして、抵抗調整手段２５は、負荷電流検出抵抗１３の両端電圧により、可変抵抗２４の抵抗値を可変させる電圧を生成する。
【００５１】
さて、負荷電流が少ないため電機子反作用の影響がほとんど無い場合、つまり、負荷電流検出抵抗１３の両端電圧が低い場合には、抵抗調整手段２５は、その負荷電流検出抵抗１３の両端電圧の大きさにより、流れる電流が減少する方向に可変抵抗２４の抵抗値を大きくする。また、負荷電流が多いため電機子反作用の影響により一時的に電気的な遅れ位相となりやすい場合、つまり、負荷電流検出抵抗１３の両端電圧が高い場合には、抵抗調整手段２５は、その負荷電流検出抵抗１３の両端電圧の大きさにより、流れる電流が増加する方向に可変抵抗２４の抵抗値を小さくする。
【００５２】
このようにして、負荷電流の増減により、可変抵抗２４の抵抗値が調整されて位置検出手段１０に直列に設けた位置検出電流調整手段１１の出力である第一の電流制限抵抗１７および可変抵抗２４で決定される抵抗値が調整され、位置検出手段１０に流れる電流が調整されることとなり、位置検出手段１０の出力電圧の振幅値を負荷電流の増減に合わせた値に意図的に調整することができる。
【００５３】
なお、本実施の形態においては、第一の電流制限抵抗１７および可変抵抗２４を並列に接続したが、直列に接続してもよい。このとき（第一の電流制限抵抗１７および可変抵抗２４を直列に接続した場合）、負荷電流検出抵抗１３の両端電圧が低い場合には、可変抵抗２４の抵抗値を大きくする。また、負荷電流検出抵抗１３の両端電圧が高い場合には、可変抵抗２４の抵抗値を小さくするという構成でもよい。
【産業上の利用可能性】
【００５４】
本発明にかかるブラシレスＤＣモータの位置情報検出装置は、負荷電流が多くなると自動的に三相分の位置検出手段の出力電圧の振幅値を大きくすることで、ブラシレスＤＣモータの通電切り換えタイミングを意図的に進めることができるので、レンジフード、天井埋め込み換気扇や浴室暖房換気扇等の換気装置、空気清浄機等の送風装置に搭載されるブラシレスＤＣモータの位置情報検出装置に有用である。
【符号の説明】
【００５５】
１  三相コイル
２  巻線
３  回転子
４  永久磁石
８  プリント基板
９  インバータ回路
１０  位置検出手段
１１  位置検出電流調整手段
１２  駆動信号生成手段
１３  負荷電流検出抵抗
１４  コネクタ
１７  第一の電流制限抵抗
１８  第二の電流制限抵抗
１９  半導体スイッチ
２０  スイッチ制御手段
２１  スイッチ調整手段
２２  電圧参照値
２３  スイッチ決定手段
２４  可変抵抗
２５  抵抗調整手段
【図１】
2015142468.tif 000003
【図２】
2015142468.tif 000004
【図３】
2015142468.tif 000005
【図４】
2015142468.tif 000006
【図５】
2015142468.tif 000007
【図６】
2015142468.tif 000008